(57)【特許請求の範囲】
【請求項１】
前面に前面パネルが配設される筐体を前面に備えた加熱調理器本体を、キッチンキャビネットの上面に形成した上面開口部から挿入し、前記キッチンキャビネットの前面に形成した前面開口部に前記前面パネルを臨ませて設置する設置過程を経て前記キッチンキャビネットに組み込まれ、
前記設置過程の終了後において、前記筐体の上面および下面および側面の一部または全部が、前記前面開口部周辺との間に間隙を有して前記前面開口部の奥側に位置する状態となる組込式加熱調理器に用いられる保護部材の取り付け構造であって、
前記前面パネルを保護する保護部材を、前記前面パネルの前面を覆う所定位置に配設し、前記保護部材を前記所定位置に保持する粘着テープにおける前記保護部材に貼付される部分から延びる一端側の先端より手前に設けた保持用粘着部を前記筐体の上面または下面または側面の内の少なくとも一面における保持用貼付部に貼付して前記保護部材を前記所定位置に保持し、さらに、
前記粘着テープの前記保持用粘着部よりも先端側に延長粘着部を備え、
前記延長粘着部と前記一面との間にテープ剥がし具を配設し、前記延長粘着部を前記テープ剥がし具における延長粘着部貼付部に貼付して前記テープ剥がし具を前記一面に保持し、
前記テープ剥がし具には、前記筐体の前面側に延びる操作部が設けられていることを特徴とする、組込式加熱調理器に用いられる保護部材の取り付け構造。
【請求項２】
前記テープ剥がし具が、外形が矩形である薄板を前記矩形の一辺を前面側にして前記一面上に配設し、前記一辺から前記一辺と対向する他辺に向けて凹没して前記薄板が欠損する欠損部を設け、前記他辺側に前記薄板が残存する他辺側残存部、および、前記一辺側に前記欠損部以外の前記薄板が残存する一辺側残存部を形成して構成されており、
前記一面における前記欠損部に対応する領域を前記保持用貼付部とし、前記他辺側残存部を前記延長粘着部貼付部とし、前記一辺側残存部を前記操作部とすることを特徴とする請求項１に記載の組込式加熱調理器に用いられる保護部材の取り付け構造。
【請求項３】
前記テープ剥がし具が紙系材料からなり、前記操作部に、前記テープ剥がし具の操作手順が表示されていることを特徴とする請求項１または請求項２のいずれかに記載の組込式加熱調理器に用いられる保護部材の取り付け構造。
【発明の詳細な説明】
【技術分野】
【０００１】
本発明は、一般家庭で使用する組込式加熱調理器の保護部材に関するものである。
【背景技術】
【０００２】
従来、調理器本体をキッチンキャビネットの天板開口部から挿入し、キャビネットの前面開口部に調理器本体の前面に備える操作部をのぞませるように設置した組込式調理器が知られている（例えば特許文献１）。
【０００３】
このような設置方法の場合、調理器本体をキッチンキャビネットの天板開口部から挿入し、キャビネットの前面開口部に調理器本体の前面に備える操作部をのぞませるまでの施工の間に、調理器本体の前面に備える操作部がキッチンキャビネットと干渉しないように注意して作業されるものであるが、もし、上記操作部がキッチンキャビネットと干渉した場合には、操作部が損傷するおそれがある。
【０００４】
このような場合、調理器本体の前面に備える操作部を保護部材によって保護しておくことにより、上記操作部がキッチンキャビネットと干渉した場合にも上記操作部の損傷が防止できるのであり、上記保護部材を装着するためのコストを抑制するために、上記保護部材を調理器本体にテープ止めする方法を用いることが考えられる。
【０００５】
そして、上記保護部材を調理器本体にテープ止めする方法を用いる場合には、調理器本体の前面に保護部材で覆い、この保護部材の前面から保護部材固定用のテープを貼付して、この保護部材固定用のテープの一端を調理器本体の前面近傍の調理器本体の上面に貼付し、保護部材固定用のテープの他端を調理器本体の前面近傍の調理器本体の下面に貼付することになる。
【先行技術文献】
【特許文献】
【０００６】
【特許文献１】特開２００２−３２３２２３号公報
【発明の概要】
【発明が解決しようとする課題】
【０００７】
しかしながら、上記施工が完了した後には上記保護部材を取り除くために保護部材固定用のテープを剥がす必要があるが、美観上の理由から、調理器本体の前面近傍の調理器本体の上面および下面とキッチンキャビネットとの隙間は小さくなるように寸法が定められていることが多く、保護部材固定用のテープの一端または保護部材固定用のテープの他端から保護部材固定用のテープを剥がすための、調理器本体の前面近傍の調理器本体の上面または下面とキッチンキャビネットとの隙間に指の挿入が困難である。
【０００８】
また、保護部材上に貼付されている保護部材固定用のテープを前方に引っ張っても、保護部材固定用のテープの一端には、調理器本体の前面近傍の調理器本体の上面から上方に剥離させる方向の力が作用せず、また、保護部材固定用のテープの他端には、調理器本体の前面近傍の調理器本体の下面から下方に剥離させる方向の力が作用しにくいものであるから、保護部材固定用のテープを剥がすことが困難なものとなってしまうという課題があり、改善が望まれるものであった。
【０００９】
本発明は、上記の課題を解決するもので、調理器本体をキッチンキャビネットの天板開口部から挿入し、キャビネットの前面開口部に調理器本体の前面に備える操作部をのぞませるように設置した組込式調理器において、施工中における上記操作部を保護するために、上記操作部をテープ止めした保護部材によって保護した場合にも、施工完了後に簡単に保護部材固定用のテープが剥離できて、保護部材を取り除くために手間を要しない、施工性に優れた組込式加熱調理器の保護部材を提供することを目的とする。
【課題を解決するための手段】
【００１０】
上記従来の課題を解決するために、本発明の組込式加熱調理器に用いられる保護部材の取り付け構造は、第１特徴構成として、前面に前面パネルが配設される筐体を前面に備えた加熱調理器本体を、キッチンキャビネットの上面に形成した上面開口部から挿入し、前記キッチンキャビネットの前面に形成した前面開口部に前記前面パネルを臨ませて設置する設置過程を経て前記キッチンキャビネットに組み込まれ、前記設置過程の終了後において、前記筐体の上面および下面および側面の一部または全部が、前記前面開口部周辺との間に間隙を有して前記前面開口部の奥側に位置する状態となる組込式加熱調理器に用いられる保護部材の取り付け構造であって、前記前面パネルを保護する保護部材を、前記前面パネルの前面を覆う所定位置に配設し、前記保護部材を前記所定位置に保持する粘着テープにおける前記保護部材に貼付される部分から延びる一端側の先端より手前に設けた保持用粘着部を前記筐体の上面または下面または側面の内の少なくとも一面における保持用貼付部に貼付して前記保護部材を前記所定位置に保持し、さらに、前記粘着テープの前記保持用粘着部よりも先端側に延長粘着部を備え、前記延長粘着部と前記一面との間にテープ剥がし具を配設し、前記延長粘着部を前記テープ剥がし具における延長粘着部貼付部に貼付して前記テープ剥がし具を前記一面に保持し、前記テープ剥がし具には、前記筐体の前面側に延びる操作部が設けられて構成されるものである。
【００１１】
上記構成により、前記設置過程の終了後において、前記筐体の上面および下面および側面の一部または全部が、前記前面開口部周辺との間に間隙を有して前記前面開口部の奥側に位置する状態となった場合で、上記間隙が狭く、指の間隙への挿入が困難で、粘着テープの先端を上記一面から引き剥がすことが困難な場合であっても、上記テープ剥がし具の操作部を指の届く位置まで達するように構成しておくことにより、上記テープ剥がし具の操作部を手前に引くことによって、上記粘着テープの保持用粘着部と延長粘着部との境界を上記一面から引き剥がす力が作用することになるから、上記粘着テープの保持用粘着部と延長粘着部との境界の上記一面からの剥離が始まり、そのまま上記テープ剥がし具の操作部を手前に引くことを継続するだけで、上記粘着テープの保持用粘着部の全てが上記一面から剥離し、上記粘着テープの上記一面からの剥離を容易に完了することができる。
【００１２】
つまり、上記テープ剥がし具を用いないで、粘着テープの先端側の全てを上記一面に貼付してある場合には、保護部材上に貼付されている保護部材固定用の粘着テープを前方に引っ張っても、上記一面とキッチンキャビネットの前面開口部の周縁との隙間が小さいことに起因して、保護部材固定用の粘着テープの先端には、上記一面から剥離させる方向の力が作用しないので、保護部材固定用のテープを剥がすことが困難であるが、上記テープ剥がし具を用いた場合には、上記テープ剥がし具の操作部を手前に引くことによって、上記粘着テープの先端側から上記一面からの剥離が始まり、上記テープ剥がし具の操作部を手前に引くことの継続によって、上記粘着テープの上記一面からの剥離を容易に完了させることができる。
【００１３】
また、第２特徴構成として、前記テープ剥がし具が、外形が矩形である薄板を前記矩形の一辺を前面側にして前記一面上に配設し、前記一辺から前記一辺と対向する他辺に向けて凹没して前記薄板が欠損する欠損部を設け、前記他辺側に前記薄板が残存する他辺側残存部、および、前記一辺側に前記欠損部以外の前記薄板が残存する一辺側残存部を形成して構成されており、前記一面における前記欠損部に対応する領域を前記保持用貼付部とし、前記他辺側残存部を前記延長粘着部貼付部とし、前記一辺側残存部を前記操作部とすることが好ましい。
【００１４】
このように構成した場合、上記効果に加えて、外形が矩形である薄板の一辺を前面側にして前記一面上に配設し、前記一辺から前記一辺と対向する他辺に向けて凹没して前記薄板が欠損する欠損部を設けるだけの簡単な構成で上記テープ剥がし具が構成できるものとなる。
【００１５】
つまり、矩形の薄板の一部に欠損部を設けるだけの簡単な構成で上記テープ剥がし具が構成できる。
【００１６】
また、第３特徴構成として、前記テープ剥がし具が紙系材料からなり、前記操作部に、前記テープ剥がし具の操作手順が表示されていることが好ましい。
【００１７】
このように構成した場合、上記第１特徴構成による効果または上記第２特徴構成による効果のいずれかに加えて、材料が安価で加工が容易な紙系材料を用いて、低コストでテープ剥がし具を構成することができる。
【００１８】
しかも、操作部に前記テープ剥がし具の操作手順が表示されているから、より一層簡単で確実に上記粘着テープの上記一面からの剥離を完了させることができるものとなる。因みに、紙系材料を用いることで、印刷等による簡便な方法を用いて、操作部へのテープ剥がし具の操作手順の表示が容易に行うことができる。
【発明の効果】
【００１９】
調理器本体をキッチンキャビネットの天板開口部から挿入し、キャビネットの前面開口部に調理器本体の前面に備える操作部を臨ませるように設置した組込式調理器において、施工中における上記操作部を保護するために、上記操作部をテープ止めした保護部材によって保護した場合にも、施工完了後に簡単に保護部材固定用のテープが剥離できて、保護部材を取り除くために手間を要しない、優れた施工性が得られる。
【図面の簡単な説明】
【００２０】
【図１】本発明の第１実施形態における組込式加熱調理器の保護部材の取り付け前における全体構成図（加熱調理器の天板を省略）
【図２】同上の組込式加熱調理器をキッチンキャビネットに組み込んで、保護部材を取り除いた状態を示す図（加熱調理器の天板を省略）
【図３】同上の組込式加熱調理器への保護部材の取り付けの途中状態を示す図（加熱調理器の天板を省略）
【図４】同上の組込式加熱調理器への保護部材の取り付けの途中状態を示す図（加熱調理器の天板を省略）
【図４ａ】図４の状態に対応する模式図
【図４ｂ】図４の状態から図５の状態に至る状態を示す模式図
【図５】同上の組込式加熱調理器への保護部材の取り付けの途中状態を示す図（加熱調理器の天板を省略）
【図６】同上の組込式加熱調理器への保護部材の取り付け後の状態を示す図（加熱調理器の天板を省略）
【図７】保護部材の取り付け後における同上の組込式加熱調理器をキッチンキャビネットに組み込んだ状態を示す模式図
【図８】同上の組込式加熱調理器をキッチンキャビネットに組み込んだ後において保護部材を取り除く工程を示す模式図
【図９】同上の組込式加熱調理器をキッチンキャビネットに組み込んだ後において保護部材を取り除く工程を示す模式図
【図９ａ】同上の組込式加熱調理器をキッチンキャビネットに組み込んだ後において保護部材を取り除く工程を示す模式図
【図１０】同上の組込式加熱調理器をキッチンキャビネットに組み込んだ後において保護部材を取り除く工程を示す模式図
【図１１】同上の組込式加熱調理器に用いられるテープ剥がし具の平面図
【発明を実施するための形態】
【００２１】
以下、本発明の実施の形態について図面を参照しながら説明する。なお、この実施の形態によって本発明が限定されるものではない。
【００２２】
〔第１実施形態〕
図１は本発明の組込式加熱調理器の第１実施形態としてのドロップインコンロＡの保護部材３０の取り付け前における全体構成を示すものであり、天板２を取り外した状態を示している。
【００２３】
図２に示すように、ドロップインコンロＡはキッチンキャビネット２３の上面開口部７ａから落とし込まれて設置されて、キッチンキャビネット２３の上面開口部７ａ周縁に、ドロップインコンロ本体１の上端周縁に備える鍔部１ｆを係止させてキッチンキャビネット２３の上面開口部７ａに吊持される。また、キッチンキャビネット２３の上面開口部７ａよりも大きい、本体１の上部開口を覆うための天板２（図示せず）と、天板２に設けた開口を貫通して天板２の上方にその炎口部を露出することになる３つのバーナ３を備えている。
また、図２に示すように、キッチンキャビネット２３の前面開口部７ｂには、円筒状の回転操作部８０などが配列される前面パネル８を臨ませて設置される。
【００２４】
図１に示すように、上記前面パネル８は、ドロップインコンロ本体１の前面に備える筐体２０の前面に配設されている。そして、筐体２０をキッチンキャビネット２３の上面開口部７ａから挿入しキッチンキャビネット２３の前面開口部７ｂに前面パネル８を臨ませて設置させる設置過程を経て、ドロップインコンロ本体１をキッチンキャビネット２３に組み込んだ後、すなわち、上記設置過程の終了後においては、上記筐体２０の上面２０ａ、上記筐体２０の下面２０ｂ（図示せず）、上記筐体２０の側面２０ｃのほとんどが、図２に示すように、上記上面開口部７ａの周辺と筐体２０との間に形成される上方の間隙１７、下方の間隙１９、側方の間隙１８の奥側にそれぞれ位置することになる。
【００２５】
このようにして、前面パネル８とキッチンキャビネット２３の前面を略同一面とすることになり、キッチンキャビネット２３とドロップインコンロＡとの一体感が得られることになるが、上記設置過程において前面パネル８をキッチンキャビネット２３と接触させた場合には、前面パネル８を損傷するおそれがあり、前面パネル８の損傷を防止するために以下の対策が講じられている。
【００２６】
工場からドロップインコンロＡを出荷する前の梱包工程において、保護部材３０（図３等参照）が取り付けられており、上記設置過程が終了した時点でこの保護部材３０を取り除くようにしてあり、上記設置過程における前面パネル８の損傷が防止されるもので、以下、この保護部材３０の取り付け構造について詳述する。
【００２７】
図３に示すように、上記前面パネル８を保護する保護部材３０は、上記前面パネル８の前面を覆う所定位置である筐体２０の前面に配設され、図４に示す状態に至る。図４の状態に対応する模式図（側面図）を図４ａに示す。
【００２８】
その後、図４ｂ（模式図）に示すように、テープ剥がし具５０が、保護部材３０の上面３１から筐体２０の上面２０ａに亘るように載置され、図５の状態となる。
【００２９】
図１１に示すように、保護部材３０は、紙系材料から成る矩形の薄板（例えば、ボール紙）から成り、ドロップインコンロＡの前面側に配設されることになるその一辺５６から一辺５６と対向する他辺５７に向かって凹没する欠損部５３を設けたものであり、他辺５７の側は上記薄板（例えば、ボール紙）が残存する他辺側残存部（延長粘着部貼付部）５４となっている。また、操作部には後述する操作手順を示す表示５５が印刷されている。
【００３０】
図５に示すように、テープ剥がし具５０が、保護部材３０の上面３１から筐体２０の上面２０ａに亘るように載置された状態では、保護部材３０の上面３１の一部と筐体２０の上面２０ａの一部をテープ剥がし具５０の欠損部５３に臨ませた状態となる。
【００３１】
その後、粘着テープ４０によって、テープ剥がし具５０および保護部材３０を固定することになるが、このとき、図６に示すように、保護部材３０を前面パネル８の前面を覆う所定位置である筐体２０の前面に保持するために、粘着テープ４０における保護部材３０に貼付される部分４３から延びる粘着テープ４０の一端側の先端４４より手前に設けた保持用粘着部４１を筐体２０の上面２０ａにおける保持用貼付部２１に貼付して保護部材３０を上記記所定位置に保持され、粘着テープ４０の保持用粘着部４１よりも先端側に存在する延長粘着部４２が、テープ剥がし具５０の他辺５７（図１１参照）の側に上記薄板（例えば、ボール紙）が残存する他辺側残存部（延長粘着部貼付部）５４の表面に貼付されて、テープ剥がし具５０が、筐体２０の上面２０ａに保持される。
【００３２】
なお、図１１に示すように、テープ剥がし具５０の一辺５６の側において凹没している欠損部５３以外の一辺５６側には上記薄板（例えば、ボール紙）が残存することになるが、この一辺５６側において上記薄板（例えば、ボール紙）が残存する部分が操作部５２となり、後述するように、上記設置過程の終了後における粘着テープ４０の剥離および取り外しによる保護部材３０の取り外しを容易にしている。
【００３３】
以下、図７〜図１０に示す模式図を参照して、粘着テープ４０の剥離および取り外しによる、保護部材３０の取り外しについて説明する。
【００３４】
図７は、保護部材３０の取り付け後におけるドロップインコンロＡを、上記設置過程を経てキッチンキャビネット２３に組み込んだ状態を示す模式図であり、キッチンキャビネット２３の前面開口部７ｂに、その前面に保護部材３０を粘着テープ４０で保持することで取りつけられた筐体２０の前面側を臨ませている。このとき、粘着テープ４０の一端側の先端４４は前面開口部７ｂにおける奥に位置して、上記延長粘着部４２がテープ剥がし具５０の他辺側残存部（延長粘着部貼付部）５４に貼付されている。なお、図７〜図１０においては模式的に構造を示すために、粘着テープ４０の保持用粘着部４１もテープ剥がし具５０に貼付されているように作図されているが、実際には図６に示すように保持用粘着部４１は、筐体２０の上面２０ａにおける保持用貼付部２１に貼付されている。
【００３５】
図７において、テープ剥がし具５０の操作部５２も、キッチンキャビネット２３の前面開口部７ｂに臨ませており、図１１に示すような操作部に印刷された操作手順を説明する文章「施工完了後、このシートを（１）→（２）の順に手前に引き、テープをはずして下さい。」および操作順序を示す番号「（１）（２）」を参照しながら、図７の状態からテープ剥がし具５０の操作部５２を指でつまむことが可能であり、テープ剥がし具５０の操作部５２を指でつまんで前面方向（図８のＦ方向）に引っ張ると、テープ剥がし具５０の他辺側残存部（延長粘着部貼付部）５４に上記前方向に力が作用し、テープ剥がし具５０の他辺側残存部（延長粘着部貼付部）５４が上記前方向に移動しようとする。
【００３６】
一方、粘着テープ４０の保持用粘着部４１は筐体２０の上面２０ａにおける保持用貼付部２１に貼付されており、テープ剥がし具５０の他辺側残存部（延長粘着部貼付部）５４が上記前方向に移動しようとすると、粘着テープ４０における保持用粘着部４１と延長粘着部４２との境界には、筐体２０の上面２０ａから剥離しようとする力が作用し、粘着テープ４０における保持用粘着部４１と延長粘着部４２との境界部分が筐体２０の上面２０ａから剥離する。
【００３７】
そして、さらにテープ剥がし具５０の操作部５２を指でつまんで前面方向（図８のＦ方向）に引っ張り続けると、粘着テープ４０における保持用粘着部４１と粘着テープ４０において既に剥離した部分との境界には筐体２０の上面２０ａから剥離しようとする力が作用することとなり、粘着テープ４０における保持用粘着部４１の剥離が進行した図８の状態に至る。
【００３８】
その後、さらにテープ剥がし具５０の操作部５２を指でつまんで前面方向（図８のＦ方向）に引っ張り続けると、粘着テープ４０における保持用粘着部４１の全面が筐体２０の上面２０ａから剥離した状態となり、保護部材３０を筐体２０の前面から取り外せる状態（図９参照）となる。なお、本実施例においては、３本の粘着テープ４０によって保護部材３０を上記所定位置に保持するものであり、３本ある粘着テープ４０の内における全ての粘着テープ４０における保持用粘着部４１の全面が筐体２０の上面２０ａから剥離した状態では図９に示す保護部材３０が筐体２０の前面から取り外せる状態となるが、３本ある粘着テープ４０の内における１本乃至２本だけの粘着テープ４０における保持用粘着部４１が筐体２０の上面２０ａから剥離した状態では、図９ａに示すように、保護部材３０は筐体２０の前面に留まり、保持用粘着部４１が筐体２０の上面２０ａから剥離した粘着テープ４０の保護部材３０に貼付される部分４３が保護部材３０の前面から剥離した状態を経ることになる。
【００３９】
そして、３本ある粘着テープ４０の内における全ての粘着テープ４０における保持用粘着部４１が筐体２０の上面２０ａから剥離した状態を経て、図１０に示すように保護部材３０が筐体２０の前面から取り外された状態に至る。なお、筐体２０の下面２０ｂには、粘着テープ４０と筐体２０の下面２０ｂとの間にテープ剥がし具５０が配設されていないが、粘着テープ４０における保持用粘着部４１が筐体２０の上面２０ａから剥離した状態においては、粘着テープ４０と筐体２０の下面２０ｂとの接合部を中心として保護部材３０と共に粘着テープ４０を回動させる（図９参照）、または、粘着テープ４０と筐体２０の下面２０ｂとの接合部を中心として保護部材３０から剥離させながら粘着テープ４０を回動させる（図９参照）ことによって、粘着テープ４０を筐体２０の下面２０ｂよりも下方向に引っ張ることが可能となるから、粘着テープ４０と筐体２０の下面２０ｂとの接合部において、粘着テープ４０を筐体２０の下面２０ｂから剥離させる方向に粘着テープ４０に対して力を作用させることが可能となり、粘着テープ４０を筐体２０の下面２０ｂから剥離させることができる。
【００４０】
〔別実施例〕
（１）上記第１実施例においては、テープ剥がし具５０を筐体２０の上面２０ａだけに備える実施例を示したが、筐体２０の側面２０ｃ、或いは筐体２０の下面２０ｂのいずれか１面、又は、筐体２０の上面、或いは筐体２０の側面２０ｃ、或いは筐体２０の下面２０ｂの内の複数の面にテープ剥がし具５０を備えてもよい。
（２）上記第１実施例においては、テープ剥がし具５０を薄板（例えば、ボール紙）の一部を凹没することで構成する実施例を示したが、矩形の延長粘着部貼付部５４の左右両端に操作部５２を連結して構成してもよい。
【産業上の利用可能性】
【００４１】
以上のように、本発明にかかる組込式加熱調理器における保護部材の取り付け構造は、キッチンキャビネットの前面開口部に前面パネルを臨ませて組み込む場合に、美観を良好に保って組み込むことができるとともに組み込み後におけるその取り外しが容易な保護部材の取り付け構造を提供するものであり、一般家庭で使用するキッチンキャビネットの前面開口部に前面パネルを臨ませて配置する組込式加熱調理器等の用途に広く適用できる。
【符号の説明】
【００４２】
１      ドロップインコンロ本体
１ｆ    鍔部
２      天板
３      バーナ
７ａ    上面開口部
７ｂ    前面開口部
８      前面パネル
１７    上方の間隙
１８    側方の間隙
１９    下方の間隙
２０    筐体
２０ａ  筐体の上面
２０ｂ  筐体の下面
２０ｃ  筐体の側面
２１    保持用貼付部
２３    キッチンキャビネット
３０    保護部材
３１    保護部材の上面
４０    粘着テープ
４１    保持用粘着部
４２    延長粘着部
４３    保護部材に貼付される部分
４４    一端側の先端
５０    テープ剥がし具
５２    操作部
５３    欠損部
５４    他辺側残存部（延長粘着部貼付部）
５５    表示
５６    一辺（前面側）
５７    他辺
８０    円筒状の回転操作部
Ａ      ドロップインコンロ
【図１】
0005766549.tif 000002
【図２】
0005766549.tif 000003
【図３】
0005766549.tif 000004
【図４】
0005766549.tif 000005
【図４ａ】
0005766549.tif 000006
【図４ｂ】
0005766549.tif 000007
【図５】
0005766549.tif 000008
【図６】
0005766549.tif 000009
【図７】
0005766549.tif 000010
【図８】
0005766549.tif 000011
【図９】
0005766549.tif 000012
【図９ａ】
0005766549.tif 000013
【図１０】
0005766549.tif 000014
【図１１】
0005766549.tif 000015